(57)【要約】【課題】被固定部の有無にかかわらずプラグを抜け止めすることができ、またプラグが被固定部を有する場合には、過剰な外力が作用したときに抜け止めを解除することができるプラグ受け装置を提供することにある。【解決手段】プラグ受け装置１は、栓刃挿入孔４０ａ〜４０ｃを一面４ａに有するボディ２と、プラグ１２０の栓刃と機械的に結合して抜け止めをする係止突起６１ａ，６１ｂとを備え、栓刃挿入孔４０ａ〜４０ｃは、栓刃を挿抜可能な挿抜位置と、係止突起６１ａ，６１ｂによってプラグ１２０が抜け止めされる抜止位置との間でプラグ１２０を回転可能な形に形成され、ボディ２には、プラグ１２０に設けられたロック片（被固定部）１２１を係止してプラグ１２０を挿抜位置に固定する係止片（固定部）４０ｅが設けられ、突片４０ｅとロック片１２１との係止状態は、プラグ１２０とボディ２が互いに離間する方向に所定値以上の力がかけられた際に解除される。【選択図】図１
2010055837.tif 000002
【特許請求の範囲】
【請求項１】
プラグの栓刃が挿入される栓刃挿入孔を一面に有するボディと、栓刃挿入孔に挿入された栓刃に接触される刃受部および電源に接続される端子部を有する電気接続部と、栓刃挿入孔に挿入された栓刃と機械的に結合してプラグの抜け止めをする抜け止め部とを備え、
栓刃挿入孔は、上記一面に平行する面内においてプラグの栓刃を挿抜可能な挿抜位置と、抜け止め部によってプラグが抜け止めされる抜止位置との間でプラグを回動可能な形に形成され、
ボディには、プラグに設けられた被固定部とともに、上記挿抜位置においてプラグを固定する固定手段を構成する固定部が設けられ、
固定手段は、プラグとボディが互いに離間する方向に所定値以上の力がかけられた際にプラグの固定を解除することを特徴とするプラグ受け装置。
【請求項２】
上記ボディは、上記一面を下方に向ける形で建物の壁面に取り付けられ、
上記ボディには、プラグに接続されるコードを通す挿通孔を有するカバーが、上記ボディの上記一面側に形成されるプラグ用の収納空間を閉塞する閉位置と収納空間を開放するとともに上記ボディを覆う開位置との間で移動自在に取り付けられていることを特徴とする請求項１記載のプラグ受け装置。
【請求項３】
上記カバーは、上記ボディに回転自在に取り付けられ、
上記カバーの回転軸は、上記壁面に平行し、
回転軸に直交する面内における上記カバーの外周形状は、上記カバーの回転中心を中心とする扇状であることを特徴とする請求項２記載のプラグ受け装置。
【請求項４】
上記挿通孔は上記プラグを通すことができる大きさに形成され、
上記カバーは、上記閉位置では上記挿通孔が形成された部位が上記ボディの上記一面に所定距離を隔てて対向配置され、上記開位置では上記挿通孔が形成された部位が上記ボディの上記一面に上記所定距離より短い距離を隔てて対向配置されるように、上記閉位置と上記開位置との間でスライド移動する形に上記ボディに取り付けられていることを特徴とする請求項２記載のプラグ受け装置。
【請求項５】
上記挿通孔は上記プラグを通すことができない大きさに形成され、
上記カバーを上記閉位置に固定する錠装置を備えていることを特徴とする請求項２または３記載のプラグ受け装置。
【請求項６】
上記端子部は、上記ボディとは別体のプラグよりなり、
当該端子部と上記刃受部とはコードにより接続されていることを特徴とする請求項１記載のプラグ受け装置。
【請求項７】
上記被固定部は、上記プラグの挿抜方向に交差する方向に弾性を有する弾性片と、当該弾性片の先部より上記挿抜方向に交差する方向に突出された爪部とを有し、
上記固定部は、上記被固定部の爪部を係止する係止片よりなることを特徴とする請求項１〜６のうちいずれか１項記載のプラグ受け装置。
【請求項８】
上記被固定部と上記固定部の一方は磁石よりなり、
上記被固定部と上記固定部の他方は上記磁石に吸着される材料よりなることを特徴とする請求項１〜６のうちいずれか１項記載のプラグ受け装置。
【発明の詳細な説明】
【技術分野】
【０００１】
本発明は、プラグを接続するプラグ受け装置に関するものである。
【背景技術】
【０００２】
従来から、コンセントなどの種々のプラグ受け装置が提案されている。このようなプラグ受け装置では、プラグ（差込プラグ）の栓刃をプラグ受け装置の刃受で狭持することによって、プラグがプラグ受け装置に対して固定されている。そのため、外部からの力に対してプラグが抜け易く、例えばプラグが抜けることで予期せずに電気機器の動作が停止したり、プラグの栓刃と刃受との接触面積が小さくなって接触抵抗が増大して高熱が発生したりするといった問題が生じるおそれがあった。
【０００３】
そこで、このようなプラグの抜けを防止するために種々の構造が提案されている。例えば、特許文献１には、プラグにフックを設けるとともに、コンセント装置（コンセント）にフックが嵌入される穴を設け、プラグのフックをコンセントの該穴に嵌入することで、プラグを抜け止めする構造が開示されている。また、特許文献２には、プラグをコンセントに接続した後に所定角度回転させることによって、プラグの栓刃に設けられた透孔にコンセントの刃受に設けた突起が入り込んで、プラグを抜け止めする構造が開示されている。
【特許文献１】実開平４−１０２５８２号公報
【特許文献２】特開２００１−１８５２８９号公報
【発明の開示】
【発明が解決しようとする課題】
【０００４】
特許文献１に示すものでは、プラグをコンセントに接続した際にフックが穴に嵌入されるため、特許文献２に示すもののように、プラグを所定角度回転させなくても抜け止めをすることができる。よって、特許文献１に示すものでは、抜け止め作業を容易に行うことができる。しかし、特許文献１に示すものでは、プラグにフックのような被固定部が必須であり、プラグに被固定部が設けられていなければ、プラグの抜けを防止することができない。一方、特許文献２に示すものでは、もともとプラグの栓刃に形成される透孔を利用している。そのため、プラグに被固定部のような抜け止めのための特別な部分が設けられていなくても、抜け止めを図ることができるという利点があるが、被固定部を有するプラグには対応しておらず、このようなプラグを接続することができない。
【０００５】
ところで、特許文献１，２に示すものでは、プラグがプラグ受け装置に強固に固定されるが、安全面を考えれば、過剰な外力が作用した際にはプラグがプラグ受け装置から抜けたほうがよい場合がある。例えば、パーソナルコンピュータやサーバなどの常時給電が必要とされる電気機器などでは、プラグがプラグ受け装置に確実に抜け止めされることが好ましい。しかしながら、ドライヤや炊飯器などの給電が停止されても影響が少ない電気機器などでは、過剰な外力が作用したときにプラグの抜け止めが解除されるほうが、プラグやプラグ受け装置の破損、コードの断線、コードに足を引っ掛けた人の転倒などを防止できるというメリットが給電が停止されるというデメリットを上回る結果になる。
【０００６】
本発明は上述の点に鑑みて為されたもので、被固定部の有無にかかわらずプラグを抜け止めすることができ、またプラグが被固定部を有する場合には、過剰な外力が作用したときに抜け止めを解除することができるプラグ受け装置を提供することにある。
【課題を解決するための手段】
【０００７】
上述の課題を解決するために、請求項１の発明では、プラグの栓刃が挿入される栓刃挿入孔を一面に有するボディと、栓刃挿入孔に挿入された栓刃に接触される刃受部および電源に接続される端子部を有する電気接続部と、栓刃挿入孔に挿入された栓刃と機械的に結合してプラグの抜け止めをする抜け止め部とを備え、栓刃挿入孔は、上記一面に平行する面内においてプラグの栓刃を挿抜可能な挿抜位置と、抜け止め部によってプラグが抜け止めされる抜止位置との間でプラグを回動可能な形に形成され、ボディには、プラグに設けられた被固定部とともに、上記挿抜位置においてプラグを固定する固定手段を構成する固定部が設けられ、固定手段は、プラグとボディが互いに離間する方向に所定値以上の力がかけられた際にプラグの固定を解除することを特徴とする。
【０００８】
請求項１の発明によれば、被固定部を有するプラグを接続した場合、プラグが挿抜位置に位置したときに、プラグの被固定部とボディの固定部とによってプラグがボディに固定されるから、プラグを抜け止めすることができて、予期せずにプラグが外れることを防止できる。また、プラグとボディが互いに離間する方向に所定値以上の力がかけられた際にプラグの固定（プラグの抜け止め）が解除される。そのため、プラグのコードに人が足を引っ掛けたりして過剰な外力が作用した際には、プラグの抜け止めが解除され、よって、プラグの破損やコードの断線、人の転倒などを防止することができ、安全性が高い。一方、被固定部を有さないプラグの場合、挿抜位置から抜止位置に回転させた際に抜け止め部によって抜け止めされるから、予期せずにプラグが外れることを防止することができる。このように、被固定部の有無にかかわらずプラグを抜け止めすることができ、またプラグが被固定部を有する場合には、過剰な外力が作用したときに抜け止めを解除することができる。
【０００９】
請求項２の発明では、請求項１の発明において、上記ボディは、上記一面を下方に向ける形で建物の壁面に取り付けられ、上記ボディには、プラグに接続されるコードを通す挿通孔を有するカバーが、上記ボディの上記一面側に形成されるプラグ用の収納空間を閉塞する閉位置と収納空間を開放するとともに上記ボディを覆う開位置との間で移動自在に取り付けられていることを特徴とする。
【００１０】
請求項２の発明によれば、カバーを閉位置に位置させて収納空間を閉塞することによって、飛沫がボディの栓刃挿入孔内の刃受部やプラグの栓刃にかかってしまうことを防止することができる。一方、カバーを開位置に位置させて収納空間を開放した場合には、カバーがボディを覆うから、閉位置に比べてカバーの壁面からの突出量が大きくなってしまうことがない。そのため、防水が不要な場合であっても、カバーが邪魔になってしまうことがなく、使い勝手がよい。
【００１１】
請求項３の発明では、請求項２の発明において、上記カバーは、上記ボディに回転自在に取り付けられ、上記カバーの回転軸は、上記壁面に平行し、回転軸に直交する面内における上記カバーの外周形状は、上記カバーの回転中心を中心とする扇状であることを特徴とする。
【００１２】
請求項３の発明によれば、カバーの操作を容易に行うことができる。
【００１３】
請求項４の発明では、請求項２の発明において、上記挿通孔は上記プラグを通すことができる大きさに形成され、上記カバーは、上記閉位置では上記挿通孔が形成された部位が上記ボディの上記一面に所定距離を隔てて対向配置され、上記開位置では上記挿通孔が形成された部位が上記ボディの上記一面に上記所定距離より短い距離を隔てて対向配置されるように、上記閉位置と上記開位置との間でスライド移動する形に上記ボディに取り付けられていることを特徴とする。
【００１４】
請求項４の発明によれば、カバーの操作を容易に行うことができる。
【００１５】
請求項５の発明では、請求項２または３の発明において、上記挿通孔は上記プラグを通すことができない大きさに形成され、上記カバーを上記閉位置に固定する錠装置を備えていることを特徴とする。
【００１６】
請求項５の発明によれば、プラグの栓刃を栓刃挿入孔に挿した状態で錠装置によりカバーを閉位置に固定すれば、プラグを収納空間から外側に引き出すことができなくなるから、プラグによりプラグ受け装置に接続された電気機器などの盗難を防止することができる。
【００１７】
請求項６の発明では、請求項１の発明において、上記端子部は、上記ボディとは別体のプラグよりなり、当該端子部と上記刃受部とはコードにより接続されていることを特徴とする。
【００１８】
請求項６の発明によれば、延長コードとして使用することができる。
【００１９】
請求項７の発明では、請求項１〜６のうちいずれか１項の発明において、上記被固定部は、上記プラグの挿抜方向に交差する方向に弾性を有する弾性片と、当該弾性片の先部より上記挿抜方向に交差する方向に突出された爪部とを有し、上記固定部は、上記被固定部の爪部を係止する係止片よりなることを特徴とする。
【００２０】
請求項７の発明によれば、被固定部を固定部に固定する作業が容易に行えるから、プラグの接続作業が容易になる。
【００２１】
請求項８の発明では、請求項１〜６のうちいずれか１項の発明において、上記被固定部と上記固定部の一方は磁石よりなり、上記被固定部と上記固定部の他方は上記磁石に吸着される材料よりなることを特徴とする。
【００２２】
請求項８の発明によれば、被固定部を固定部に固定する作業が容易に行えるから、プラグの接続作業が容易になる。
【発明の効果】
【００２３】
本発明は、被固定部の有無にかかわらずプラグを抜け止めすることができ、しかもプラグが被固定部を有する場合には、過剰な外力が作用したときに抜け止めが解除されて、プラグの破損やコードの断線、人の転倒などを防止できて安全性が高いという効果を奏する。
【発明を実施するための最良の形態】
【００２４】
（実施形態１）
本実施形態のプラグ受け装置１は、商用電源からの給電に使用される屋外用のコンセントであり、図２〜図４に示すように、建物（例えば住宅）の壁面（外壁面）Ｗに取り付けられるボディ２を備えている。
【００２５】
ボディ２は、壁面Ｗに取り付けられる矩形板状の台部３と、台部３における壁面Ｗ側とは反対側（図２（ａ）における右面側）に取り付けられる器体４とを備えている。台部３および器体４はいずれも絶縁性を有する樹脂材料により形成されている。
【００２６】
器体４は、断面が中心角が９０度の扇形の箱状に形成されている。器体４は、扇形の一方の半径に対応する一面４ａを台部３の長手方向の一端側（図２（ａ）における下端側）に向け、かつ扇形の他方の半径に対応する他面４ｂを台部３側に向けた状態で、台部３の前面３ａの長手方向の他端側（図２（ａ）における上端側）に取り付けられている。図示例では、器体４は台部３の前面３ａの上半分を覆う大きさである。
【００２７】
器体４の一面４ａには、図４（ｂ）に示すように、電圧極用の一対の栓刃挿入孔４０ａ，４０ｂと、接地極用の栓刃挿入孔４０ｃとが形成されている。
【００２８】
複数の栓刃挿入孔４０ａ〜４０ｃそれぞれには、プラグ１２０（図５，６参照）の複数の栓刃１２０ａ〜１２０ｃそれぞれが挿入される。なお、栓刃１２０ａ，１２０ｂは電圧極用の栓刃であり、栓刃１２０ｃは接地極用の栓刃である。
【００２９】
各栓刃挿入孔４０ａ，４０ｂ，４０ｃは、図１（ａ）に示すように、それぞれ中心角が９０度より小さい円弧状に形成されている。そのため、プラグ１２０をプラグ受け装置１に接続した後には、プラグ１２０を器体４の一面４ａに平行する面内において所定角度だけ回転させることができるようになっている。すなわち、栓刃挿入孔４０ａ，４０ｂ，４０ｃは、器体４の一面４ａに平行する面内において、プラグ１２０の栓刃１２０ａ，１２０ｂ，１２０ｃを挿抜可能な後述する挿抜位置と、後述する抜け止め部によってプラグが抜け止めされる後述する抜止位置との間でプラグを回動可能な形に形成されている。なお、電圧極用の一対の栓刃挿入孔４０ａ，４０ｂは、それぞれ略同一円周上に位置しているが、接地極用の栓刃挿入孔４０ｃは、一対の栓刃挿入孔４０ａ，４０ｂとは異なる円周上に位置している。
【００３０】
器体４の他面４ｂには、電源（本実施形態の場合は、商用電源）用の配線を挿入するための配線挿入孔（図示せず）が形成されている。これに対応して、台部３には、配線挿入孔を外部に臨ませるための開孔（図示せず）が形成されている。
【００３１】
器体４には、プラグ１２０を電源（商用電源）に電気的に接続するための電気接続部５が収納されている。電気接続部５は、栓刃挿入孔４０ａ〜４０ｃに挿入された栓刃１２０ａ〜１２０ｃに接触される刃受部６と、電源に接続される端子部（図示せず）とを有している。刃受部６は、電圧極用の一対の刃受６ａ，６ｂと、接地極用の刃受６ｃとを備えている。電圧極用の一対の刃受６ａ，６ｂは一対の栓刃挿入孔４０ａ，４０ｂそれぞれに対応し、接地極用の刃受６ｃは栓刃挿入孔４０ｃに対応する形で器体４に収納されている。
【００３２】
電圧極用の一方の刃受６ａは、栓刃１２０ａを狭持する一対の刃受ばね６０ａを有している。ここで、一方の刃受ばね（栓刃１２０ａにおける他方の栓刃１２０ａ側とは反対側の面に接触される刃受ばね）６０ａは、器体４の一面４ａに平行する面内における断面形状が円弧状となるように形成されている。他方の刃受ばね（栓刃１２０ａにおける他方の栓刃１２０ａとの対向面に接触される刃受ばね）６０ａは、一方の刃受ばね６０ａと対向する面を２つ有しており、一方の面にはプラグ１２０を抜け止めする係止突起６１ａが設けられている。この係止突起６１ａは、プラグ１２０の栓刃１２０ａの図示しない係止孔（透孔）に入り込む大きさに形成されている。
【００３３】
また、電圧極用の他方の刃受６ｂは、一方の刃受６ａと同様に、栓刃１２０ｂを狭持する一対の刃受ばね６０ｂを有している。一方の刃受ばね６０ｂは、器体４の一面４ａに平行する面内における断面形状が円弧状となるように形成されている。他方の刃受ばね６０ｂには、刃受６ａの他方の刃受ばね６０ａと同様に係止突起６１ｂが設けられている。係止突起６１ｂは係止突起６１ａと同様のものであり、これら係止突起６１ａ，６１ｂは前述の抜け止め部を構成する。
【００３４】
接地極用の刃受６ｃは、プラグ１２０の栓刃１２０ｃを狭持する一対の刃受ばね６０ｃを有し、一対の刃受ばね６０ｃはいずれも器体４の一面４ａに平行する面内における断面形状が円弧状となるように形成されている。
【００３５】
このように電圧極用の一対の刃受部６ａ，６ｂにはプラグ１２０を抜け止めするための抜け止め部を構成する係止突起６１ａ，６１ｂが設けられている。そのため、プラグ１２０は、前述の挿抜位置と前述の抜止位置とのいずれかの位置でプラグ受け装置１に接続される。そして、挿抜位置と抜止位置とは、器体４の一面４ａに平行する面内でプラグ１２０を回転させることで切り替えることができる。なお、各刃受６ａ〜６ｃの形状は使用を想定するプラグ１２０の規格に応じて適宜設定される。また、上記端子部は、例えば電源用の配線が接続される電源用の一対の速結端子と、接地線が接続される接地用の速結端子とにより構成されている。このような電気接続部は従来周知のものを採用することができるから詳細な説明は省略する。
【００３６】
本実施形態のプラグ受け装置１は、図１（ｂ）に示すように、ロック片１２１を有するプラグ１２０を接続することができるように、ロック片１２１が差し込まれる開孔部４０ｄを有している。開孔部４０ｄは、プラグ１２０が挿抜位置であるときにロック片１２１が差し込まれるように、器体４の一面４ａに形成されている。
【００３７】
ここで、ロック片１２１は、図１（ｂ）に示すように、プラグ１２０の外側面に設けられている。ロック片１２１は、プラグ１２０の挿抜方向（図１（ｂ）における左右方向）に沿った方向を長手方向とする長尺状の弾性片１２１ａを有している。なお、図５，７ではロック片１２１の図示を省略している。
【００３８】
弾性片１２１ａは、プラグ１２０の挿抜方向に交差する方向に弾性を有するように形成されている。弾性片１２１ａの長さは、その先部がプラグ１２０の前面（栓刃１２０ａ〜１２０ｃが突出される面、図１（ｂ）における左面）より外方に突出する長さである。弾性片１２１ａの先部にはプラグ１２０をプラグ受け装置１に固定するための爪部１２１ｂが設けられている。爪部１２１ｂは、突出するにつれて挿抜方向における寸法が小さくなる断面三角形状に形成されており、その突出方向は、弾性片１２１ａにおけるプラグ１２０側とは反対方向（挿抜方向に交差する方向に突出）である。なお、弾性片１２１ａの中腹部には、弾性片１２１ａを容易に撓ませるための押圧用突部１２１ｃが形成されている。
【００３９】
開孔部４０ｄの内面には、開孔部４０ｄに差し込まれたロック片１２１の爪部１２１ｂを係止する係止片４０ｅが設けられている。したがって、プラグ１２０の栓刃１２０ａ〜１２０ｃを栓刃挿入孔４０ａ〜４０ｃに差し込む際に、ロック片１２１も開孔部４０ｄに差し込まれることになり、図１（ｂ）に示すように、プラグ１２０のプラグ受け装置１への接続が完了した状態では、ロック片１２１の爪部１２１ｂが開孔部４０ｄ内の係止片４０ｅによって係止され、プラグ１２０が抜け止めされる。
【００４０】
したがって、ボディ２には、プラグ１２０に設けられた被固定部となるロック片１２１とともに、挿抜位置においてプラグ１２０を固定する固定手段を構成する固定部となる係止片４０ｅが設けられている。
【００４１】
プラグ１２０をプラグ受け装置１から引き抜く際には、押圧用突部１２１ｃを押圧することによって弾性片１２１ａの先部がプラグ１２０に近付くように弾性片１２１ａを変形させて、係止片４０ｅによる爪部１２１ｂの係止状態を解除すればよい。
【００４２】
また、弾性片１２１ａは弾性を有しているため、プラグ１２０とボディ２が互いに離間する方向（プラグ１２０が相対的にボディ２から離れる方向）に所定値以上の力がかけられた際には、このような力によって弾性片１２１ａが変形させられて、係止片４０ｅによる爪部１２１ｂの係止状態が解除される（プラグ１２０の固定が解除される）。
【００４３】
つまり、上記の固定手段は、プラグ１２０とボディ２が互いに離間する方向に所定値以上の力がかけられた際にプラグ１２０の固定を解除する。ここで、上記の所定値は、プラグ１２０やプラグ受け装置１が破損したり、コード１０２が断線したり、コード１０２に足を引っ掛けた人が転倒したりする前に、プラグ１２０がプラグ受け装置１から抜けるような値に設定している。上記の所定値は、弾性片１２１ａの剛性や、爪部１２１ｂの形状（特に係止片４０ｅとの接触面の角度）などによって決定される。
【００４４】
以上述べたように本実施形態のプラグ受け装置１は、プラグ１２０の栓刃１２０ａ〜１２０ｃが挿入される栓刃挿入孔４０ａ〜４０ｃを一面４ａに有するボディ２と、栓刃挿入孔４０ａ〜４０ｃに挿入された栓刃１２０ａ〜１２０ｃに接触される刃受部６および電源に接続される端子部を有する電気接続部５と、栓刃挿入孔４０ａ，４０ｂに挿入された栓刃１２０ａ，１２０ｂと機械的に結合してプラグ１２０の抜け止めをする抜け止め部となる係止突起６１ａ，６１ｂを備えている。各栓刃挿入孔４０ａ〜４０ｃは、器体４の一面４ａに平行する面内において、プラグ１２０の栓刃１２０ａ〜１２０ｃを挿抜可能な挿抜位置と係止突起６１ａ，６１ｂによってプラグ１２０が抜け止めされる抜止位置との間で、プラグ１２０を回動可能な形に形成されている。
【００４５】
そして、ボディ２には、プラグ１２０に設けられた被固定部であるロック片１２１とともに、挿抜位置においてプラグ１２０を固定する固定手段を構成する固定部である係止片４０ｅが設けられており、この固定手段は、プラグ１２０とボディ２が互いに離間する方向（プラグ１２０が相対的にボディ２から離れる方向）に所定値以上の力がかけられた際にプラグ１２０の固定を解除する。
【００４６】
そのため、本実施形態のプラグ受け装置１によれば、ロック片１２１を有するプラグ１２０を接続した場合、プラグ１２０が挿抜位置に位置したときに、プラグ１２０のロック片１２１とボディ２の係止片４０ｅとによってプラグ１２０がボディ２に固定されるから、プラグ１２０を抜け止めすることができて、予期せずにプラグ１２０が外れることを防止できる。また、プラグ１２０とボディ２が互いに離間する方向に所定値以上の力がかけられた際にプラグ１２０の固定（プラグの抜け止め）が解除される。そのため、プラグ１２０のコード１０２に人が足を引っ掛けたりして過剰な外力が作用した際には、プラグ１２０の抜け止めが解除され、よって、プラグ１２０の破損やコード１０２の断線、人の転倒などを防止することができ、安全性が高い。
【００４７】
一方、ロック片１２１を有していないプラグ１２０の場合（ロック片１２１を有していないプラグ１２０とは、ＪＩＳなどの規格により広く一般に流通しているプラグを想定している）、挿抜位置から抜止位置に回転させた際に抜け止め部となる係止突起６１ａ，６１ｂによって抜け止めされるから、予期せずにプラグ１２０が外れることを防止することができる。
【００４８】
このように、ロック片１２１の有無にかかわらずプラグ１２０を抜け止めすることができ、またプラグ１２０がロック片１２１を有する場合には、過剰な外力が作用したときに抜け止めを解除することができる。
【００４９】
また、本実施形態のプラグ受け装置１では、ロック片１２１と係止片４０ｅとで固定手段が構成されており、ロック片１２１を開孔部４０ｄに差し込むだけでロック片１２１が係止片４０ｅによって係止されるので、ロック片１２１を係止片４０ｅに固定する作業が容易に行えるから、プラグ１２０の接続作業が容易になる。さらに、本実施形態のプラグ受け装置１では、ロック片１２１を差し込む開孔部４０ｄを、プラグ１２０の回転中心に対して栓刃挿入孔４０ｃ側とは反対側に設けてあり、これによって、プラグ１２０を回転させるために必要な領域が狭くなるようにしている。
【００５０】
ところで、固定手段としては、上記のようなロック片１２１と係止片４０ｅとからなるものの他に、磁力を利用したものを採用することができる。このような固定手段は、例えば、器体４の一面４ａに磁石（永久磁石）よりなる板状の固定部を設け、プラグ１２０の前面（栓刃１２０ａ〜１２０ｃが突出される面）に磁石に吸着される材料（磁性材料）よりなる板状の被固定部を設けることによって、実現することができる。このような磁力を利用した固定手段を用いれば、被固定部を固定部に固定する作業が容易に行えるから、プラグ１２０の接続作業が容易になる。なお、この場合における上記所定値は、磁石の強さによって設定することができる。また、固定部を磁石とする代わりに被固定部を磁石としてもよく、要は、被固定部と固定部の一方は磁石よりなり、被固定部と固定部の他方は上記磁石に吸着される材料よりなるものであればよい。
【００５１】
ところで、本実施形態のプラグ受け装置１のボディ２は、器体４の一面４ａを下方に向ける形で建物の壁面Ｗに取り付けられる。したがって、以下の説明では、説明の簡略化のために、台部３の厚み方向（図２（ａ）における左右方向）の一面側を前側（図２（ａ）における右側）、台部３の厚み方向の他面側を後側（図２（ａ）における左側）、台部３の長手方向（図２（ａ）における上下方向）の一端側を上側（図２（ａ）における上側）、台部３の長手方向の他端側を下側（図２（ａ）における下側）として説明する。
【００５２】
ところで、プラグ受け装置１では、図２，３に示すように、プラグ１２０を接続できるようにするために、器体４の一面４ａ側に、プラグ１２０用の収納空間Ｓが確保されている。プラグ受け装置１は、当該収納空間Ｓを閉塞するカバー７を備えている。
【００５３】
カバー７は、例えば絶縁性を有する樹脂材料により形成されている。カバー７は、台部３の短手方向（図３（ａ）における左右方向）において互いに対向する一対の側板部７０と、当該一対の側板部７０同士を連結する連結部７１とを一体に備えている。ここで、台部３の短手方向に直交する面内（図２（ａ）における紙面内）における側板部７０の外周形状は、中心角が９０度の扇形である。連結部７１は、扇形の側板部７０の弧の部分で一対の側板部７０同士を連結している。このようなカバー７は、器体４を収容することができるように（図２（ｂ）参照）、側板部７０の外周形状や、一対の側板部７０間の距離、連結部７１の厚みなどが設定されている。
【００５４】
また、側板部７０の内面側（他方の側板部７０との対向面側）には、カバー７をボディ２に取り付けるための円柱状の軸部５０ａが突設されている。軸部５０ａは、扇形の側板部７０の中心部分に形成されている。また、各側板部７０の軸部５０ａの中心軸は一致している。一方、器体４には、軸部５０ａを枢支するための軸受部４１が形成されている。軸受部４１は、台部３の短手方向における器体４の両側面それぞれに形成されている。したがって、器体４の２つの軸受部４１それぞれに軸部５０ａを嵌め込むことによって、カバー７は、回転可能な形で器体４に取り付けられる。ここで、カバー７の回転軸の方向は、台部２の短手方向に沿った方向であるから、カバー７の回転軸は壁面Ｗに平行している。
【００５５】
カバー７が回転可能な範囲は、器体４の栓刃挿入孔４０ａ〜４０ｃそれぞれに栓刃１２０ａ〜１２０ｃが挿入されたプラグ１２０を囲う（収納空間Ｓを閉塞する）閉位置（図２（ａ）および図３（ａ）参照）と、ボディ２の器体４を囲う（収納空間Ｓを閉塞しない）開位置（図２（ｂ）および図３（ｂ）参照）との間である。閉位置では、扇形の側板部７０の一方の半径に対応するカバー７の端面７ａが台部３の前面３ａの下端部に当接し、開位置では、扇形の側板部７０の半径に対応するカバー７の端面７ｂが台部３の前面３ａの上端部に当接している。
【００５６】
ここで、カバー７の連結部７１には、閉位置において栓刃挿通孔４０ａ〜４０ｃと対向する部位に、プラグ１２０に接続されるコード１０２を通す挿通孔７２が形成されている。挿通孔７２は、カバー７を開位置から閉位置に回転させる過程で、コード１０２が挿通孔７２内に入るように、開位置から閉位置に向かう方向において外部と連通している（図４（ａ），（ｂ）参照）。また、本実施形態では、挿通孔７２の大きさは、コード１０２を通すことはできるものの、プラグ１２０を通すことはできない大きさである。
【００５７】
したがって、カバー７が開位置にあるときは、カバー７が器体４を覆っており、収納空間Ｓが開放されているためにプラグ受け装置１にプラグ１２０を自由に着脱することができる。一方、カバー７が閉位置にあるときは、カバー７が収納空間Ｓを閉塞しており、また挿通孔７２の大きさがプラグ１２０を通すことができない大きさであるから、プラグ受け装置１にプラグ１２０を着脱することができない。
【００５８】
このように本実施形態のプラグ受け装置１では、栓刃挿入孔４０ａ〜４０ｃが設けられる一面４ａを下方に向ける形で建物の壁面Ｗに取り付けられボディに、プラグ１２０に接続されるコード１０２を通す挿通孔７２を有するカバー７が、収納空間Ｓを閉塞する閉位置と収納空間Ｓを開放するとともにボディ２の器体４を覆う開位置との間で移動自在に取り付けられている。
【００５９】
そのため、カバー７を閉位置に位置させて収納空間Ｓを閉塞することによって、プラグ１２０を囲うことができ、飛沫がボディ２の栓刃挿入孔４０ａ〜４０ｃ内の刃受部やプラグ１２０の栓刃１２０ａ〜１２０ｃにかかってしまうことを防止することができる。一方、カバー７を開位置に位置させて収納空間Ｓを開放した場合には、カバー７がボディ２の器体４を覆うから、閉位置に比べてカバー７の壁面Ｗからの突出量が大きくなってしまうことがない。よって、防水が不要な場合であっても、カバー７が邪魔になってしまうことがなく、使い勝手がよい。
【００６０】
特に、カバー７は、ボディ２の器体４に回転自在に取り付けられ、カバー７の回転軸は、壁面Ｗに平行し、当該回転軸に直交する面内におけるカバー７の外周形状は、カバー７の回転中心を中心とする扇状である。そのため、閉位置と開位置とのいずれにおいても、壁面Ｗからのカバー７の突出量は等しくなる。また、カバー７を回転させるだけで閉位置と開位置とを切り換えることができるから、カバー７の操作を容易に行うことができる。
【００６１】
ところで、図５，６では、プラグ受け装置１に接続する機器として、電気自動車充電用コードセット（以下、「コードセット」と略称する）１００を示している。
【００６２】
コードセット１００は、交流電源に対応するアウトレットと電気自動車のインレットとを接続するために使用される電源コードセットである。ここで、電気自動車とは、電池（二次電池）と電動機（モータ）が搭載された自動車をいい、これには、内燃機関（ガソリンエンジン）と電動機とが搭載された所謂ハイブリッドカーや、プラグインハイブリッドカーも含むものとする。
【００６３】
電気自動車のインレットは、電気自動車に搭載される電池の規格等に応じて好適な形状や、構造が採用される。本実施形態では、電気自動車に交流電力を直流電力に変換して上記電池を充電する充電装置（図示せず）が搭載されていることを前提とし、インレットは交流に対応するものとする。すなわち、電気自動車のインレットは、交流電源（例えば、周波数が５０Ｈｚあるいは６０ＨｚのＡＣ２００Ｖの商用電源）に接続可能な形に構成されており、交流電源の一対の電圧極に接続される一対の端子（図示せず）と、接地極用の端子（図示せず）とを有している。
【００６４】
コードセット１００は、図６に示すように、電源の接続に使用するコード１０２と、負荷の接続に使用するコード１０３と、これらの間に挿入される遮断装置１０４とを有している。
【００６５】
コード１０２は、３本の絶縁被覆電線１０２ａ〜１０２ｃを１本の絶縁チューブ（図示せず）内に配置してなる３芯のものであり、絶縁被覆電線１０２ａ，１０２ｂが電圧極の接続に、絶縁被覆電線１０２ｃが接地極の接続に使用される。このコード１０２の一端にはプラグ１２０が設けられている。プラグ１２０は、上述したように電圧極用の一対の栓刃１２０ａ，１２０ｂと、接地極用の栓刃１２０ｃとを備えている。３つの栓刃１２０ａ，１２０ｂ，１２０ｃそれぞれは、コード２の３本の絶縁被覆電線１０２ａ，１０２ｂ，１０２ｃそれぞれの一端に接続されている。
【００６６】
コード１０３は、コード１０２と同様に、３本の絶縁被覆電線１０３ａ〜１０３ｃを１本の絶縁チューブ（図示せず）内に配置してなる３芯のものであり、絶縁被覆電線１０３ａ，１０３ｂが電圧極の接続に、絶縁被覆電線１０３ｃが接地極の接続に使用される。このコード１０３の一端にはコネクタ１３０が設けられている。コネクタ１３０は、電気自動車のインレットに接続するためのものであり、インレットの一対の電圧極用の端子それぞれに接続される一対の端子１３０ａ，１３０ｂと、接地極用の端子に接続される端子１３０ｃとを備えている。そして、コネクタ１３０の３つの端子１３０ａ，１３０ｂ，１３０ｃそれぞれは、コード１０３の３本の絶縁被覆電線１０３ａ，１０３ｂ，１０３ｃそれぞれの一端に接続されている。
【００６７】
遮断装置１０４は、漏電遮断器としての機能を有しており、一対の端子部１４０，１４１を備えている。一方の端子部１４０は、３つの端子１４０ａ，１４０ｂ，１４０ｃを有しており、３つの端子１４０ａ，１４０ｂ，１４０ｃそれぞれにはコード１０２の３本の絶縁被覆電線１０２ａ，１０２ｂ，１０２ｃそれぞれの他端が接続される。端子部１４０は、交流電源に接続するための電源接続端子部として使用される。他方の端子部１４１は、３つの端子１４１ａ，１４１ｂ，１４１ｃを有しており、３つの端子１４１ａ，１４１ｂ，１４１ｃそれぞれにはコード１０３の３本の絶縁被覆電線１０３ａ，１０３ｂ，１０３ｃそれぞれの他端が接続される。端子部１４１は、負荷である電気自動車に接続するための負荷接続端子部として使用される。
【００６８】
一対の端子部１４０，１４１間は、電気接続部１４２により電気的に接続されている。電気接続部１４２は、端子１４０ａと端子１４１ａとを接続する電路１４２ａと、端子１４０ｂと端子１４１ｂとを接続する電路１４２ｂと、端子１４０ｃと端子１４１ｃとを接続する電路１４２ｃとを有している。電気接続部１４２において、電力供給に使用される給電用の電路１４２ａ，１４２ｂそれぞれには、接点部１４３ａ，１４３ｂが挿入されている。接点部１４３ａ，１４３ｂは、固定接点と、当該固定接点に接離する可動接点とで構成される機械接点よりなり、これら接点部１４３ａ，１４３ｂによって、電気自動車への給電をオン／オフする開閉部１４３が構成されている。すなわち、開閉部１４３が閉じていれば（両接点部１４３ａ，１４３ｂが閉じていれば）、給電用の間の電路１４２ａ，１４２ｂを通じて電気自動車に給電可能になり、開閉部１４３が開いていれば（両接点部１４３ａ，１４３ｂが開いていれば）、給電用の電路１４２ａ，１４２ｂが遮断されて電気自動車には給電されない。
【００６９】
遮断装置１０４には、開閉部１４３の開閉を行う開閉機構部１４４と、開閉機構部１４４を制御する制御部１４５とを備えている。
【００７０】
開閉機構部１４４は、例えば、開閉部１４３の各接点部１４３ａ，１４３ｂの固定接点が固着された固定端子板や、可動接点が固着された可動接触子、ばね材、係止部材などの種々の部材が機械的に結合されてなり、制御部１４５より与えられる制御信号に応じて開閉部１４３の開閉を行う。この種の開閉機構部１４４は従来周知のものを採用することができるから詳細な説明は省略する。
【００７１】
制御部１４５は、例えば、マイクロコンピュータ（マイクロコントローラ、略称としてマイコン、広義にはＣＰＵとも称される）であり、メモリに記憶されたプログラムをＣＰＵで実行することにより後述する種々の処理を実行する。この制御部１４５は、給電用の電路１４２ａ，１４２ｂに不平衡電流が生じているか否かを検出する零相変流器１４６の検出出力に基づいて、漏電が生じているか否かを判定する処理を実行する。制御部１４５は、当該処理の結果、漏電が生じていると判定すれば、開閉部１４３が開状態となるように開閉機構部１４４を制御する。これによって一対の端子部１４０，１４１間が遮断されて、交流電源から電気自動車に電力が供給されないようにする。一方、制御部１４５は、漏電が生じていないと判定すれば、開閉部１４３が閉状態となるように開閉機構部１４４を制御し、交流電源から電気自動車に電力が供給されるようにする。
【００７２】
また、制御部１４５は、後述する収納部１０６に収納されたコード１０３の温度（コード１０３そのものの温度ではなくて雰囲気温度でもよい）を検出する温度センサ１４７の検出結果に基づいて開閉機構部１４４を制御する処理を実行する。当該処理において、制御部１４５は、温度センサ１４７で検出された温度が所定温度以上であれば、開閉部１４３が開状態となるように開閉機構部１４４を制御する。これによって一対の端子部１４０，１４１間が遮断されて、交流電源から電気自動車に電力が供給されないようにする。一方、制御部１４５は、所定温度未満であれば、開閉部１４３が閉状態となるように開閉機構部１４４を制御し、交流電源から電気自動車に電力が供給されるようにする。ここで、上記の所定温度は、コード１０３を構成する絶縁被覆電線の絶縁被覆の材料や絶縁チューブの材料である絶縁材料（ビニルなど）の融点を基準に定められ、これら絶縁被覆や絶縁チューブが溶け出す前に、電路１４２ａ，１４２ｂを遮断することができる温度に設定される。
【００７３】
このように遮断装置１０４は、漏電が生じた際に一対の端子部１４０，１４１間を遮断して給電を停止する機能と、コード１０３の絶縁被覆や絶縁チューブが溶けるおそれがある場合に一対の端子部１４０，１４１間を遮断して給電を停止する機能とを有している。
【００７４】
また、遮断装置１０４は、制御部１４５を駆動するための電力を供給するための電源部１４８を備えている。電源部１４８は、レギュレータなどにより構成されている。この電源部１４８の各入力端子（図示せず）は電路１４２ａ，１４２ｂにおける端子１４０ａ，１４０ｂと接点部１４３ａ,１４３ｂとの間に接続されており、接点部１４３ａ，１４３ｂが開いた状態でも、交流電源より電力供給を受けることができるようになっている。
【００７５】
上述した遮断装置１０４は、図５（ａ），（ｂ）に示すような筐体１０５に収納されている。なお、以下では、説明の簡略化のために、図５（ａ）における上下方向を筐体１０５の高さ方向、図５（ａ）における左右方向を筐体１０５の幅方向、図５（ａ）における紙面の法線方向を筐体１０５の厚み方向として説明する。
【００７６】
筐体１０５は、高さ方向と幅方向の寸法がほほ同じで、厚み方向の寸法が高さ方向の寸法より小さい直方体の箱状に形成されている。この筐体１０５の幅方向の一側面（図５（ａ）における左側面）には、コード１０２を通すための第１の開孔部（図示せず）が設けられている。すなわち、コード１０２の他端は筐体１０５内で遮断装置１０４の端子部１４０に接続され、コード１０２の一端は上記開孔部を通して筐体１０５の外部に引き出される。なお、プラグ受け装置１と漏電遮断器たる遮断装置１０４との間に挿入されるコード１０２の長さは、ＵＬ（Underwriters Laboratories Inc）規格によって、１０ｃｍ〜３０ｃｍと定められているため、コード１０２の長さはこの範囲で定められる。
【００７７】
筐体１０５の厚み方向の一面側（図５（ｂ）における左面）には、コード１０３を出し入れ自在に収納可能な収納部１０６が設けられている。
【００７８】
収納部１０６は、コード１０３が巻き付けられるドラム１６０を有している。ドラム１６０は、断面が真円の筒状に形成され、中心軸方向を筐体１０５の厚み方向に沿わせた状態で、中心軸を回転軸として筐体１０５の厚み方向の一面側に回転自在に取り付けられている。ドラム１６０における筐体１０５側とは反対側（図５（ｂ）における左側）には正円の円盤部１６１が設けられており、円盤部１６１の中心軸とドラム１６０の中心軸とは一致している。この円盤部１６１におけるドラム１６０側とは反対側（図５（ｂ）における左側）の縁部には、ドラム１６０を手動で回転させるための摘み部１６１ａが突設されている。また、この円盤部１６１は、内周形状が円形状（円盤部１６１の外周形状よりやや大きい円形状）、外周形状が矩形状に形成された枠体であるフレーム部１６２の内側に回転自在に支持されている。フレーム部１６２の外形サイズは筐体１０５の厚み方向の一面と同サイズに形成されている。フレーム部１６２は、棒状（図示例では丸棒状）の連結部１６３により筐体１０５に取り付けられている。連結部１６３は全部で４本あり、フレーム部１６２の四隅に位置している。
【００７９】
筐体１０５の厚み方向の一面には、コード１０３を通すための第２の開孔部（図示せず）が設けられており、コード１０３の一端は当該第２の開孔部より収納部１０６側に引き出される。なお、コード１０３の他端は筐体１０５内において遮断装置１０４の他方の端子部１４１に接続され、これによって、コード１０３が遮断装置１０４を介してコード１０２に連結される。筐体１０５より引き出されたコード１０３は、ドラム１６０の外周面（回転軸に直交する面内における外周面）に巻き付けられる。そのため、ドラム１６０の回転に応じて、収納部１０６より外部に引き出すことができるコード１０３の長さを調整することができる。
【００８０】
筐体１０５の高さ方向の一面（図５（ａ）における下面）には、筐体１０５を地面に安定して置くための台部となるスタンド１０７が設けられている。スタンド１０７は、例えば金属製のものであって、筐体１０５の厚み方向を長手方向とし、筐体１０５の幅方向に所定間隔を隔てて並べられた一対の足部１０７ａ，１０７ａと、一対の足部１０７ａの一端部（筐体１０５側の端部）それぞれを筐体１０５の高さ方向の一面に連結する一対の脚部１０７ｂと、一対の足部１０７ａの他端部（収納部１０６側の端部）同士を連結する連結部１０７ｃとを一体に備えている。このようなスタンド１０７は、コードセット１００の重心位置などを考慮して好適なものが採用される。
【００８１】
一方、筐体１０５の高さ方向の他面（図５（ａ）における上面）には、持ち運び用の把手１０８が設けられている。把手１０８は、例えば金属製のものであって、筐体１０５の厚み方向を長手方向とし、筐体１０５の幅方向に所定間隔を隔てて並べられた一対の側部１０８ａ，１０８ａと、一対の側部１０８ａの一端部（筐体１０５側の端部）それぞれを筐体１０５の高さ方向の他面に連結する一対の連結部１０８ｂと、一対の側部１０８ａの他端部（収納部１０６側の端部）同士を連結する把持部１０８ｃとを一体に備えている。このような把手１０８は、持ち運び易さを考慮して、コードセット１００の重心位置などを考慮して持ち運び時に筐体１０５の高さ方向が鉛直方向に沿った方向となるように設計される。
【００８２】
また、筐体１０５の幅方向の他面（図５（ａ）における右面）における高さ方向の一面側（図５（ａ）における下面側）には、保持部１０９が設けられている。保持部１０９は、コネクタ１３０を保持するためのものであり、筐体１０５の高さ方向の他面側（図５（ｂ）における上面側）が開口された箱状に形成されている。したがって、コネクタ１３０の先部を上記開口より保持部１０９内に差し入れることで、コネクタ１３０が保持部１０９に保持されることになる。なお、保持部１０９の形状は上記の例に限定されず、コネクタ１３０の先端が地面に着かないように保持できるものであればよい。
【００８３】
このコードセット１００を使用するにあたっては、把手１０８を持ってコードセット１００を所望の位置まで持ち運び、スタンド１０７により所望の位置に置く。その後に、コード１０２のプラグ１２０をプラグ受け装置１に接続し、コネクタ１３０を電気自動車のインレットに接続すればよい。ここで、コネクタ１３０を電気自動車のインレットに接続するにあたっては、コネクタ１３０を保持具１０９より外し、収納部１０６よりコード１０３を必要な分だけ引き出せばよい。コード１０３を引き出し過ぎた場合には、摘み部１６１ａを持って、コード１０３を巻き取る方向にドラム１６０を回転させてコード１０３の余長分を収納部１０６に引き入れればよい。
【００８４】
このようにコードセット１００によれば、コード１０３を必要な分だけ収納部１０６から引き出して使用することができる（コード１０３の余長部分を収納することができる）ので、コード１０３の余長部分が地面に置かれることがないから、コード１０３の余長部分に人が引っ掛かって転倒してしまうことを防止できて、安全に使用することができ、しかも見た目がすっきりして、見栄えも良い。また、把手１０８を持って持ち運ぶことができ、しかもスタンド１０７により地面に安定して置くことができるから、使い勝手が良い。特にコード１０３を収納部１０６に収納することができるから、持ち運びが容易である。
【００８５】
また、コネクタ１３０を筐体１０５に保持させることができる。そのため、コネクタ１３０の垂れ下がりに起因するコード１０３の断線や、コネクタ１３０を地面に放置した際に水が浸入するといった不具合が発生することを防止することができる。さらに、温度センサ１４７で検出された温度が所定温度以上になると一対の端子部１４０，１４１間が遮断されてコード１０３に電流が流れなくなる。よって、コード１０３の温度が上がりすぎて、コード１０３の絶縁被覆が溶けて導線が露出してしまうことを防止することができる。
【００８６】
なお、このようなコードセット１００の他例としては図７に示すものが挙げられる。図７に示すコードセット１００は、上述の遮断装置１０４（図７では不図示）が収納された直方体状の筐体１０５と、プラグ１２０が一端に設けられ他端が遮断装置１０４の一方の端子部１４０に接続されるコード１０２と、電気自動車のインレットに接続されるコネクタ１３０（図７では不図示）が一端に設けられ他端が遮断装置１０４の他方の端子部１４１に接続されるコード１０３とを備えている。図７に示すコードセット１００は、図５、図６に示すものと異なり、収納部１０６、スタンド１０７、把手１０８、および保持具１０９を備えていないので、コード１０３の長さを調節することはできない。また、収納部１０６を有していないため、遮断装置１０４には温度センサ１４７および当該温度センサ１４７に関連する機能が備えられていない。
【００８７】
ところで、本実施形態のプラグ受け装置１の構成は上記のものに限定されず、例えば、図８に示す構成であってもよい。ここで、図８に示すプラグ１２０は、図１（ｂ）に示すものと同様にロック片１２１を有しているが、図１（ｂ）に示すものとは異なり爪部１２１ｂがプラグ１２０の前面よりも前方に突出しておらず、プラグ１２０の外側面より突出する形になっている。
【００８８】
図８に示すプラグ受け装置１では、図８に示すプラグ１２０に対応するものであって、器体４の構成が図１（ａ）に示すものと異なっている。
【００８９】
すなわち、図８に示す器体４では、一面４ａに、プラグ１２０の先端部（前端部）が挿抜位置と抜止位置との間で回転可能な大きさの凹所４０ｆが形成されている。栓刃挿入孔４０ａ〜４０ｃは、この凹所４０ｆの底面に開口されている。また、凹所４０ｆの内周面には、挿抜位置においてロック片１２１の爪部１２１ｂが入り込む開孔部４０ｄが形成されており、この開孔部４０ｄと器体４の一面４ａとの間の部位が爪部１２１ｂを係止する係止片４０ｅとなる。
【００９０】
図８に示すプラグ１２０を用いた場合、プラグ１２０の栓刃１２０ａ〜１２０ｃを凹所４０ｆの底面に開口された栓刃挿入孔４０ａ〜４０ｃに挿入するとともに、プラグ１２０の前端部を凹所４０ｆ内に差し入れれば、ロック片１２１の爪部１２１ｂが係止片４０ｅによって係止されて、プラグ１２０が抜け止めされる。
【００９１】
したがって、図８に示す例においても、ロック片１２１と係止片４０ｅとによって、プラグ１２０とボディ２が互いに離間する方向（プラグ１２０が相対的にボディ２から離れる方向）に所定値以上の力がかけられた際にプラグ１２０の固定を解除する固定手段が構成される。
【００９２】
一方、プラグ１２０がロック片１２１を有していないものであれば、プラグ１２０の栓刃１２０ａ〜１２０ｃを凹所４０ｆの底面に開口された栓刃挿入孔４０ａ〜４０ｃに挿入するとともに、プラグ１２０の前端部を凹所４０ｆ内に差し入れた後に、所定角度回転させて抜止位置に位置させることによって、プラグ１２０の栓刃１２０ａ，１２０ｂの係止孔に係止突起６１ａ，６１ｂが嵌り込んで、プラグ１２０が抜け止めされる。
【００９３】
ところで、カバー７には、図９に示すように、プラグストッパ部７３を設けてもよい。プラグストッパ部７３は、カバー７が閉位置にある状態においてプラグ１２０の下方においてプラグ１２０と対向するように、連結部７１の内面側における挿通孔７２の近傍に設けられている。このようなプラグストッパ部７３を設ければ、カバー７が閉位置にあるときにプラグ１２０を引き抜こうとすると、プラグ１２０がプラグストッパ部７３にあたることになる。そのため、プラグ１２０がプラグ受け装置１から抜けてしまうことを防止することができる。
【００９４】
また、カバー７には、図１０に示すように、挿通孔７２を閉塞する防水戸７４を設けてもよい。防水戸７４は、弾性を有する材料（例えばゴム等のエラストマ）により形成されており、挿通孔７２の短手方向（図１０における上下方向）両側それぞれに設けられている。防水戸７４は、カバー７を開位置から閉位置に移動させる過程において、コード１０２によって防水戸７４間の隙間が大きくなるように変形させられる。その結果、コード１０２は、防水戸７４間の隙間を通って収納空間Ｓ内から外方へ引き出される。一方、カバー７を閉位置から開位置に移動させれば、コード１０２が防水戸７４間の隙間から退出するので、防水戸７４は自身が有する弾性によって図１０に示す元の形に戻る。このような防水戸７４を設けることによって、飛沫が挿通孔７２を通って収納空間Ｓ内に入ることを抑制することができるから、さらなる防水性の向上を図ることができる。
【００９５】
また、プラグ受け装置１は、図１１（ａ），（ｂ）に示すように、カバー７を閉位置に固定する錠装置８を備えていてもよい。このような錠装置８は、例えば、デッドボルト（図示せず）用の出没孔（図示せず）が設けられた錠面を有する筐体８０を備えている。筐体８０は、閉位置にあるカバー７と錠面が対向する形で台部３に取り付けられている。この筐体８０には、デッドボルトが出没孔より出没自在に設けられている。また、筐体８０には、鍵を用いてデッドボルトの出没操作を行うためのシリンダ錠８１が設けられている。
【００９６】
一方、カバー７には錠装置８の筐体８０との干渉を防止するための切欠７５が形成されている。また、閉位置において筐体８０の錠面と対向するカバー７の面には、錠装置８のデッドボルトが抜き差しされる凹部（図示せず）が形成されている。したがって、カバー７を閉位置に位置させた状態で、錠装置８のシリンダ錠８１を操作してデッドボルトを筐体８０の出没孔より突出させれば、突出したデッドボルトがカバー７の凹部に入り込み、これによってカバー７が閉位置に固定される。一方、シリンダ錠８１を操作してデッドボルトを出没孔に没入させれば、カバー７の固定が解除される。
【００９７】
本実施形態では、挿通孔７２の大きさはプラグ１２０を通すことができない大きさであるので、プラグ１２０の栓刃１２０ａ〜１２０ｃを栓刃挿入孔４０ａ〜４０ｃに挿した状態（プラグ１２０をプラグ受け装置１に接続した状態）で錠装置８によりカバー７を防水置に固定すれば、プラグ１２０を収納空間Ｓから外側に引き出すことができなくなる。そのため、プラグ１２０によりプラグ受け装置１に接続された電気機器などの盗難を防止することができる。
【００９８】
なお、本実施形態のプラグ受け装置１では、電圧極用の一対の刃受６ａ，６ｂに設けられた係止突起６１ａ，６１ｂが抜け止め部を構成している。しかし、抜け止め部は、栓刃挿入孔４０ａ〜４０ｃに挿入された栓刃１２０ａ〜１２０ｃと機械的に結合してプラグ１２０の抜け止めをするものであればよく、例えば、ＪＩＳに規定されている引掛形の栓刃を引っ掛けるための引掛受部などであってもよい。すなわち、このようなプラグ受け装置１の抜け止め部には、ＪＩＳなどの規格により一般に広く使用されているものを採用することができる。
【００９９】
（実施形態２）
本実施形態のプラグ受け装置１は、図１２，図１３に示すように、器体４およびカバー７の構成が実施形態１と異なっている。なお、その他の構成（台部３や器体４に収納された電気接続部５）については実施形態１と同様であるから説明を省略する。
【０１００】
本実施形態における器体４は、図１２（ａ），（ｂ）に示すように、直方体の箱状に形成されている。器体４の一面４ａ側には、実施形態１と同様に栓刃挿通孔４０ａ〜４０ｃ、開孔部４０ｄ、および係止片４０ｅが設けられており（図１（ａ）参照）、ボディ２は、この一面４ａを下方に向けた形で壁面Ｗに取り付けられる。なお、本実施形態においても説明の簡略化のために、台部３の厚み方向（図１３（ａ）における左右方向）の一面側を前側（図１３（ａ）における右側）、台部３の厚み方向の他面側を後側（図１３（ａ）における左側）、台部３の長手方向（図１３（ａ）における上下方向）の一端側を上側（図１３（ａ）における上側）、台部３の長手方向の他端側を下側（図１３（ａ）における下側）として説明する。
【０１０１】
台部３の短手方向における器体４の両側面（図１２（ａ）における左右方向の両側面）それぞれには、カバー７を取り付けるためのスライド溝４２が形成されている。このスライド溝４２は、図１３（ａ）〜（ｄ）に示すように、一対の横溝部４２ａ，４２ｂと、横溝部４２ａ間を連通させる縦溝部４２ｃとで構成されている。一対の横溝部４２ａ，４２ｂは前後方向に沿って形成されており、上下方向において所定間隔を隔てて離間している。縦溝部４２ｃは上下方向に沿って形成されている。また、本実施形態においても器体４は台部３の前面３ａの上半分を覆う形に形成されている。
【０１０２】
本実施形態におけるカバー７は、直方体の箱状に形成されている。このカバー７は、後面および上面が開口されている。また、カバー７は、内部に器体４を収納することができる大きさに形成されている。カバー７の下面には、挿通孔７２が形成されている。本実施形態における挿通孔７２は、コード１０２だけではなくプラグ１２０も通すことができる大きさに形成されている。カバー７の左右両内側面それぞれには、直方体状のスライド突起７６が形成されている。カバー７は、２つのスライド突起７６それぞれを器体４の２つのスライド溝４２それぞれに嵌め込むことで器体４に取り付けられる。
【０１０３】
したがって、カバー７は、図１３（ａ）〜（ｄ）に示すように、スライド突起７６がスライド溝４２の一方の横溝部４２ａの後端部にある位置（下位置）と、スライド突起７６がスライド溝４２の他方の横溝部４２ｃの後端部にある位置（上位置）との間で、スライド溝４２に沿ってスライド移動する。
【０１０４】
ここで、下位置では、カバー７は、挿通孔７２が形成された部位（下面部）がボディ２の器体４の一面４ａに所定距離（器体４の一面４ａとの間でプラグ１２０を収納することができる距離）を隔てて対向配置されている。一方、上位置では、カバー７は、挿通孔７２が形成された部位（下面部）が器体４の一面４ａに上記所定距離より短い距離を隔てて（図示例では下面部が一面４ａに当接する形で）対向配置されている。
【０１０５】
したがって、本実施形態のプラグ受け装置１では、下位置が閉位置となり、上位置が開位置となる。そして、カバー７を閉位置から開位置に移動させるにあたっては、カバー７を一方の横溝部４２ａに沿って前方に移動させた後に、縦溝部４２ｃに沿って上方に移動させ、最後に他方の横溝部４２ｂに沿って後方に移動させればよい。逆に、カバー７を開位置から閉位置に移動させるにあたっては、カバー７を他方の横溝部４２ｂに沿って前方に移動させた後に、縦溝部４２ｃに沿って下方に移動させ、最後に一方の横溝部４２ａに沿って後方に移動させればよい。
【０１０６】
以上述べた本実施形態のプラグ受け装置１によれば、実施形態１と同様に、ロック片１２１の有無にかかわらずプラグ１２０を抜け止めすることができ、またプラグ１２０がロック片１２１を有する場合には、過剰な外力が作用したときに抜け止めを解除することができる。
【０１０７】
また、カバー７を閉位置に位置させて収納空間Ｓを閉塞することによって、飛沫がボディ２の栓刃挿入孔４０ａ〜４０ｃ内の刃受部やプラグ１２０の栓刃１２０ａ〜１２０ｃにかかってしまうことを防止することができる。一方、カバー７を開位置に位置させれば、収納空間Ｓが開放されるとともにカバー７がボディ２の器体４を覆うので、閉位置に比べてカバー７の壁面Ｗからの突出量が大きくなってしまうことがない。そのため、防水が不要な場合であっても、カバー７が邪魔になってしまうことがなく、使い勝手がよい。
【０１０８】
特に、本実施形態のプラグ受け装置１においては、カバー７は、閉位置では挿通孔７２が形成された部位が器体４の一面４ａに所定距離を隔てて対向配置され、開位置では挿通孔７２が形成された部位が器体４の一面４ａに上記所定距離より短い距離を隔てて対向配置されるように、閉位置と開位置との間でスライド移動する形にボディ２に取り付けられている。そのため、閉位置と開位置とのいずれにおいても、カバー７の前面の位置が変わらないから、壁面Ｗからのカバー７の突出量は同じである。また、カバー７をスライド移動させるだけで閉位置と開位置とを切り換えることができるから、カバー７の操作を容易に行うことができる。
【０１０９】
なお、上述の実施形態１，２は、本発明のプラグ受け装置の一実施形態に過ぎず、本発明の技術的範囲を実施形態１，２に限定する趣旨ではなく、本発明の趣旨を逸脱しない範囲で変更することができる。例えば、実施形態１ではカバー７が回転移動可能な形で、実施形態２ではカバー７がスライド移動可能な形でボディ２の器体４に取り付けられている。しかしながら、カバー７は、開位置における壁面Ｗからの突出量が閉位置における壁面Ｗからの突出量以下となるようにボディ２に移動自在に取り付けられていれば、本発明の効果を奏することができる。また、ボディ２は、必ずしも台部３を有している必要はなく、器体４の形状、特に栓刃挿入孔４０ａ〜４０ｃの形状も各実施形態のものに限定されず、接地極用の栓刃挿入孔４０ｃを有さない構成のものであってもよい。
【０１１０】
（実施形態３）
本実施形態のプラグ受け装置１は、例えば、図１４に示すように、コード１０２（以下、符号１０２Ａで表す）の長さが足りずに、プラグ１２０（以下、符号１２０Ａで表す）をコンセントＰに接続することができない場合に使用される延長コードである。本実施形態のプラグ受け装置１は、コードセット１００などの電気機器のプラグ１２０Ａを接続するボディ２と、コンセントＰに接続するプラグ１２０（以下、符号１２０Ｂで表す）と、ボディ２とプラグ１２０Ｂとを接続するコード１０２（以下、符号１０２Ｂで表す）とを備えている。
【０１１１】
本実施形態におけるボディ２は、両端開口が閉塞された筒状の器体４よりなる。器体４の一面４ａには、図１５に示すように、実施形態１と同様の栓刃挿入孔４０ａ，４０ｂ，４０ｃが形成されるとともに、開孔部４０ｄおよび突片４０ｅが設けられている。
【０１１２】
本実施形態における電気接続部５は、ボディ２の器体４に収納される刃受部６と、ボディ２とは別体のプラグ１２０Ｂよりなる端子部と、端子部となるプラグ１２０Ｂと刃受部６とを接続するコード１０２Ｂとで構成されている。なお、プラグ１２０Ｂはプラグ１２０Ａと同様のものであるが被固定部となるロック片１２１を備えていない。また、コード１０２Ｂはコード１０２Ａと同様のものである。
【０１１３】
つまり、本実施形態のプラグ受け装置１では、電気接続部５の端子部はボディ２とは別体のプラグ１２０Ｂよりなり、端子部となるプラグ１２０Ｂと刃受部６とはコード１０２Ｂにより接続されている。
【０１１４】
そして、本実施形態のプラグ受け装置１においても、実施形態１と同様に、ロック片１２１を有するプラグ１２０を接続した場合、プラグ１２０が挿抜位置に位置したときに、プラグ１２０のロック片１２１とボディ２の係止片４０ｅとによってプラグ１２０がボディ２に固定されるから、プラグ１２０を抜け止めすることができて、予期せずにプラグ１２０が外れることを防止できる。また、プラグ１２０とボディ２が互いに離間する方向に所定値以上の力がかけられた際にプラグ１２０の固定（プラグの抜け止め）が解除される。そのため、プラグ１２０のコード１０２に人が足を引っ掛けたりして過剰な外力が作用した際には、プラグ１２０の抜け止めが解除され、よって、プラグ１２０の破損やコード１０２の断線、人の転倒などを防止することができ、安全性が高い。一方、ロック片１２１を有さないプラグ１２０の場合、挿抜位置から抜止位置に回転させた際に抜け止め部となる係止突起６１ａ，６１ｂによって抜け止めされるから、予期せずにプラグ１２０が外れることを防止することができる。このように、ロック片１２１の有無にかかわらずプラグ１２０を抜け止めすることができ、またプラグ１２０がロック片１２１を有する場合には、過剰な外力が作用したときに抜け止めを解除することができる。
【０１１５】
図１６は本実施形態の他例のプラグ受け装置１を示しており、図８に示すものと同様に、器体４の一面４ａに、プラグ１２０の先端部が挿抜位置と抜止位置との間で回転可能な大きさの凹所４０ｆが形成されている。栓刃挿入孔４０ａ〜４０ｃは、この凹所４０ｆの底面に開口されている。また、凹所４０ｆの内周面には、挿抜位置においてロック片１２１の爪部１２１ｂが入り込む開孔部４０ｄとともに挿抜位置においてロック片１２１の爪部１２１ｂを係止する係止片４０ｅが設けられ、これによって、プラグ１２０の抜け止めが可能になっている。
【０１１６】
なお、本実施形態は、本発明のプラグ受け装置の一実施形態に過ぎず、本発明の技術的範囲を実施形態３に限定する趣旨ではなく、本発明の趣旨を逸脱しない範囲で変更することができる。
【０１１７】
また、実施形態１，２では、プラグ受け装置としてコンセント装置、実施形態３では延長コードを例示しているが、プラグ受け装置はこれらに限定されず、プラグ１２０が接続される装置であれば、本発明のプラグ受け装置の技術的思想を適用することができる。例えば、電源側のプラグ用の栓刃挿入孔と負荷（電気機器）側のプラグ用の栓刃挿入孔とを有し、漏電などの異常時に電源側のプラグと負荷側のプラグとの間の電路を遮断する漏電遮断装置（ＥＬＢ）などにも適用することができる。
【図面の簡単な説明】
【０１１８】
【図１】実施形態１のプラグ受け装置を示し、（ａ）は要部の平面図、（ｂ）はプラグとの接続状態の説明図である。
【図２】同上のプラグ受け装置を示し、（ａ）はカバーが閉位置にあるときの側面図、（ｂ）はカバーが開位置にあるときの側面図である。
【図３】同上のプラグ受け装置を示し、（ａ）はカバーが閉位置にあるときの正面図、（ｂ）はカバーが開位置にあるときの正面図である。
【図４】同上のプラグ受け装置を示し、（ａ）はカバーが閉位置にあるときの下面図、（ｂ）はカバーが開位置にあるときの下面図である。
【図５】電気自動車充電用コードセットを示し、（ａ）は正面図、（ｂ）は側面図である。
【図６】電気自動車充電用コードセットの説明図である。
【図７】電気自動車充電用コードセットの他例の外観図である。
【図８】実施形態１の他例のプラグ受け装置の説明図である。
【図９】同上の他例のプラグ受け装置の側面図である。
【図１０】同上の他例のプラグ受け装置の下面図である。
【図１１】同上の他例のプラグ受け装置を示し、（ａ）は正面図、（ｂ）は側面図である。
【図１２】実施形態２のプラグ受け装置を示し、（ａ）はカバーが閉位置にあるときの正面図、（ｂ）はカバーが開位置にあるときの正面図である。
【図１３】同上のプラグ受け装置の説明図である。
【図１４】実施形態３のプラグ受け装置の説明図である。
【図１５】同上のプラグ受け装置の要部の外観図である。
【図１６】同上の他例のプラグ受け装置の外観図である。
【符号の説明】
【０１１９】
１    プラグ受け装置
２    ボディ
４ａ  一面
５    電気接続部
６    刃受部
７    カバー
８    錠装置
４０ａ〜４０ｃ  栓刃挿入孔
４０ｅ  係止片（固定部）
６１ａ，６１ｂ  係止突起（抜け止め部）
７２    挿通孔
１０２（１０２Ａ，１０２Ｂ）  コード
１２０（１２０Ａ，１２０Ｂ）  プラグ
１２１    ロック片（被固定部）
１２１ａ  弾性片
１２１ｂ  爪部
Ｓ    収納空間
【図１】
2010055837.tif 000003
【図２】
2010055837.tif 000004
【図３】
2010055837.tif 000005
【図４】
2010055837.tif 000006
【図５】
2010055837.tif 000007
【図６】
2010055837.tif 000008
【図７】
2010055837.tif 000009
【図８】
2010055837.tif 000010
【図９】
2010055837.tif 000011
【図１０】
2010055837.tif 000012
【図１１】
2010055837.tif 000013
【図１２】
2010055837.tif 000014
【図１３】
2010055837.tif 000015
【図１４】
2010055837.tif 000016
【図１５】
2010055837.tif 000017
【図１６】
2010055837.tif 000018